(57)【特許請求の範囲】
【請求項１】
画像を読み取る画像読取り手段と、
所定のページ記述言語で記述された画像情報を入力するデータ入力手段と、
前記データ入力手段より入力された画像情報を可視情報に展開する画像展開手段と、
前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、
前記画像記憶手段に記憶されている画像情報を出力する画像出力手段と、
前記画像出力手段の出力状態を判定して、前記複数の記憶領域に対する前記画像読取り手段により読み取られた画像情報または前記画像展開手段により展開された画像情報の前記複数の記憶領域に対する記憶先を変更する変更手段と、
を有することを特徴とする画像処理装置。
【請求項２】
画像を読み取る画像読取り手段と、所定のページ記述言語で記述された画像情報を入力するデータ入力手段と、前記データ入力手段より入力された画像情報を可視情報に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置のデータ処理方法であって、
前記画像出力手段の出力状態を判定して、前記複数の記憶領域に対する前記画像読取り手段により読み取られた画像情報または前記画像展開手段により展開された画像情報の前記複数の記憶領域に対する記憶先を変更する変更工程と、
を有することを特徴とする画像処理装置のデータ処理方法。
【請求項３】
前記画像出力手段は、画像情報を記録媒体上に出力する画像形成手段を含むことを特徴とする請求項１記載の画像処理装置。
【請求項４】
前記画像出力手段は、画像情報を所定の通信回線上に出力する通信手段を含むことを特徴とする請求項１記載の画像処理装置。
【請求項５】
前記画像出力手段は、画像情報を記録媒体上に出力する画像形成手段と画像情報を所定の通信回線上に出力する通信手段とを含むことを特徴とする請求項１記載の画像処理装置。
【請求項６】
画像を読み取る画像読取り手段と、
所定のページ記述言語で記述された画像情報を入力するデータ入力手段と、
前記データ入力手段より入力された画像情報を可視画像に展開する画像展開手段と、
前記画像読取り手段により読み取られた画像情報および前記画像展開手段により展開された画像情報を一時的に記憶する第１の画像記憶手段と、
前記画像読取り手段により読み取られた画像情報および前記画像展開手段により展開された画像情報を、ユーザ識別情報で管理可能に記憶する第２の画像記憶手段と、
前記第１の画像記憶手段または前記第２の画像記憶手段に記憶されている画像情報を記録媒体上に出力する画像形成手段と、
前記画像形成手段の出力状態を判定して、前記画像読取り手段により読み取られた画像情報または前記画像展開手段により展開された画像情報の記憶先を前記第１の画像記憶手段から前記第２の画像記憶手段に変更する制御手段と、
を有することを特徴とする画像処理装置。
【請求項７】
前記制御手段は、前記画像形成手段の出力状態を判定して、前記第２の記憶手段に記憶された画像情報を自動的に読み出して前記画像形成手段に出力することを特徴とする請求項６記載の画像処理装置。
【請求項８】
画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置のデータ処理方法であって、
前記画像記憶手段中のテンポラリ領域に対する画像データの記憶状態と前記画像出力手段の出力状態とを判定する判定工程と、
前記判定工程により、前記テンポラリ領域に対する画像データの記憶状態が記憶不可状態で、かつ、前記画像出力手段からの画像出力が不可状態であると判定した場合に、前記画像読取り手段により読み取られた画像情報または前記画像展開手段により展開された画像情報の前記複数の記憶領域に対する記憶先を前記仮想メモリ領域に変更する変更工程と、
を有することを特徴とする画像処理装置のデータ処理方法。
【請求項９】
画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置を制御するコンピュータが読み出し可能なプログラムを格納した記憶媒体であって、
前記画像記憶手段中の前記テンポラリ領域に対する画像データの記憶状態と前記画像出力手段の出力状態とを判定する判定工程と、
前記判定工程により、前記テンポラリ領域に対する画像データの記憶状態が記憶不可状態で、かつ、前記画像出力手段からの画像出力が不可状態であると判定した場合に、前記画像読取り手段により読み取られた画像情報または前記画像展開手段により展開された画像情報の前記複数の記憶領域に対する記憶先を前記仮想メモリ領域に変更する変更工程とを有することを特徴とするコンピュータが読み出し可能なプログラムを格納した記憶媒体。
【請求項１０】
画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を一時的に記憶する第１の画像記憶手段と、前記画像読取り手段により読み取られた画像情報および前記画像展開手段により展開された画像情報を、ユーザ識別情報で管理可能に記憶する第２の画像記憶手段と、前記第１の画像記憶手段または前記第２の画像記憶手段に記憶されている画像情報を記録媒体上に出力する画像形成手段とを有する画像処理装置のデータ処理方法であって、
前記画像形成手段の出力状態を判定して、前記画像読取り手段により読み取られた画像情報または前記画像展開手段により展開された画像情報の記憶先を前記第１の画像記憶手段から前記第２の画像記憶手段に変更する制御工程と、
を有することを特徴とするデータ処理方法。
【発明の詳細な説明】
【０００１】
【発明の属する技術分野】
本発明は、コピー，プリント，ファクシミリなど多様な画像入出力機能を備えた画像処理装置および画像処理装置のデータ処理方法およびコンピュータが読み出し可能なプログラムを格納した記憶媒体に関するものである。
【０００２】
【従来の技術】
従来、ページ記述言語で記述したデータ（以下、ＰＤＬデータともいう）を入力し、画像を形成して出力する画像処理装置において、スキャナや通信手段を備え、コピー機能，プリント機能，ファクシミリ機能など、一つの画像形成手段を使用して複数の画像出力機能を実現する装置が提案されている。
【０００３】
また、プリンタから印刷可能に展開した画像データをそのままプリントアウトするだけでなく、ファクシミリ送信したり、画像記憶装置に転送し、後でユーザが任意にプリントアウトするといった様々な複合機能処理も提案されている。
【０００４】
【発明が解決しようとする課題】
しかしながら、このような構成において、例えばコピー中に紙詰まり等が発生しプリンタが使用できないような場合、ＰＤＬデータを展開する機能も、展開した画像をプリントアウトできないため、紙詰まりが解除されたプリンタが使用できるようになるまで、やむをえず展開動作を停止したり、オフラインに移行しホストからのデータを受け付けないようにしていた。
【０００５】
このように、複数の画像出力機能を一台の装置で実現できる一方で、ある機能においてプリンタに障害が発生してしまうと、その他のプリンタを使用する機能もプリンタの障害が取り除かれなければ、機能処理を継続することができなかった。
【０００６】
中でも、特にコピー機能やファクシミリ機能は、ユーザが装置の前で操作を行うため、プリンタに障害が発生している場合、その場で障害を取り除き、コピーもしくはファクシミリ機能を継続するという操作を期待できるが、ＰＤＬプリント機能は、主にネットワーク上に接続された情報処理装置などリモートから機能を実行するため、プリンタに発生している障害を、その場で装置のところまでいって取り除き、再度情報処理装置よりプリント指示を行わなければならないという操作は極めて煩雑となりシステム全体の操作性が低いという問題点があった。
【０００７】
本発明は上記の問題点を解消するためになされたもので、本発明の目的は、画像情報を記録媒体に出力する処理中に画像出力が不可となるような事態が発生しても、画像情報展開処理を中断することなく継続させ、かつ、展開した画像情報を個別に管理することにより、随時あるいは自動的に出力させる画像処理環境を自在に整備でき、画像処理装置の各機能処理効率およびユーザの利便性を格段に向上させることができる画像処理装置および画像処理装置のデータ処理方法およびコンピュータが読み出し可能なプログラムを格納した記憶媒体を提供することである。
【０００８】
【課題を解決するための手段】
本発明に係る第１の発明は、画像を読み取る画像読取り手段と、所定のページ記述言語で記述された画像情報を入力するデータ入力手段と、前記データ入力手段より入力された画像情報を可視情報に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段と、前記画像出力手段の出力状態を判定して、前記複数の記憶領域に対する前記画像読取り手段により読み取られた画像情報または前記画像展開手段により展開された画像情報の前記複数の記憶領域に対する記憶先を変更する変更手段とを有することを特徴とする。
【０００９】
本発明に係る第２の発明は、画像を読み取る画像読取り手段と、所定のページ記述言語で記述された画像情報を入力するデータ入力手段と、前記データ入力手段より入力された画像情報を可視情報に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置のデータ処理方法であって、前記画像出力手段の出力状態を判定して、前記複数の記憶領域に対する前記画像読取り手段により読み取られた画像情報または前記画像展開手段により展開された画像情報の前記複数の記憶領域に対する記憶先を変更する変更工程を有することを特徴とする。
【００１０】
本発明に係る第３の発明は、前記画像出力手段は、画像情報を記録媒体上に出力する画像形成手段を含むものである。
【００１１】
本発明に係る第４の発明は、前記画像出力手段は、画像情報を所定の通信回線上に出力する通信手段を含むものである。
【００１２】
本発明に係る第５の発明は、前記画像出力手段は、画像情報を記録媒体上に出力する画像形成手段と画像情報を所定の通信回線上に出力する通信手段とを含むものである。
【００１３】
本発明に係る第６の発明は、画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を一時的に記憶する第１の画像記憶手段と、前記画像読取り手段により読み取られた画像情報および前記画像展開手段により展開された画像情報を、ユーザ識別情報で管理可能に記憶する第２の画像記憶手段と、前記第１の画像記憶手段または前記第２の画像記憶手段に記憶されている画像情報を記録媒体上に出力する画像形成手段と、前記画像形成手段の出力状態を判定して、前記画像読取り手段により読み取られた画像情報または前記画像展開手段により展開された画像情報の記憶先を前記第１の画像記憶手段から前記第２の画像記憶手段に変更する制御手段とを有するものである。
【００１４】
本発明に係る第７の発明は、前記制御手段は、前記画像形成手段の出力状態を判定して、前記第２の記憶手段に記憶された画像情報を自動的に読み出して前記画像形成手段に出力するものである。
【００１６】
本発明に係る第８の発明は、画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置のデータ処理方法であって、前記画像記憶手段中のテンポラリ領域に対する画像データの記憶状態と前記画像出力手段の出力状態とを判定する判定工程と、前記判定工程により、前記テンポラリ領域に対する画像データの記憶状態が記憶不可状態で、かつ、前記画像出力手段からの画像出力が不可状態であると判定した場合に、前記画像読取り手段により読み取られた画像情報または前記画像展開手段により展開された画像情報の前記複数の記憶領域に対する記憶先を前記仮想メモリ領域に変更する変更工程とを有することを特徴とする。
【００１７】
本発明に係る第９の発明は、画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を記憶するためのテンポラリ領域とユーザ識別情報で管理可能な仮想メモリ領域を含む複数の記憶領域が確保可能な画像記憶手段と、前記画像記憶手段に記憶されている画像情報を出力する画像出力手段とを有する画像処理装置を制御するコンピュータが読み出し可能なプログラムを格納した記憶媒体であって、前記画像記憶手段中の前記テンポラリ領域に対する画像データの記憶状態と前記画像出力手段の出力状態とを判定する判定工程と、前記判定工程により、前記テンポラリ領域に対する画像データの記憶状態が記憶不可状態で、かつ、前記画像出力手段からの画像出力が不可状態であると判定した場合に、前記画像読取り手段により読み取られた画像情報または前記画像展開手段により展開された画像情報の前記複数の記憶領域に対する記憶先を前記仮想メモリ領域に変更する変更工程とをコンピュータが読み出し可能な記憶媒体に格納したことを特徴とする。
本発明に係る第１０の発明は、画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を一時的に記憶する第１の画像記憶手段と、前記画像読取り手段により読み取られた画像情報および前記画像展開手段により展開された画像情報を、ユーザ識別情報で管理可能に記憶する第２の画像記憶手段と、前記第１の画像記憶手段または前記第２の画像記憶手段に記憶されている画像情報を記録媒体上に出力する画像形成手段とを有する画像処理装置のデータ処理方法であって、前記画像形成手段の出力状態を判定して、前記画像読取り手段により読み取られた画像情報または前記画像展開手段により展開された画像情報の記憶先を前記第１の画像記憶手段から前記第２の画像記憶手段に変更する制御工程とを有することを特徴とする。
【００１８】
【発明の実施の形態】
〔第１実施形態〕
図１は、本発明の第１実施形態を示す画像処理装置の構成を示すブロック図である。
【００１９】
図において、１はスキャナ部で、原稿画像を読み取り、原稿画像に応じた画像データをプリンタ部２または画像入出力制御部３へ出力する。
【００２０】
プリンタ部２は、スキャナ部１または画像入出力制御部３から入力される画像データに基づいて画像を記録紙上に記録する。画像入出力制御部３は、スキャナ部１，プリンタ部２，フォーマッタ部４，ファクシミリ部５，操作部６に接続されており、これらを総合的に制御するメインコントローラとして機能する。
【００２１】
ファクシミリ部５は、電話回線を介して受信した圧縮画像データを伸長して、伸長した画像データを画像入出力制御部３へ転送する他、画像入出力制御部３から転送された画像データを圧縮して、圧縮した圧縮画像データを電話回線を介して外部機器（不図示）に送信する機能を有する。
【００２２】
フォーマッタ部４は、パソコンまたはワークステーション等の情報処理装置（ＰＣ／ＷＳ）７から転送された画像データ（例えば、ＰＤＬデータ）をプリンタ部２で記録できる画像データ（ビットマップデータ）に展開し、画像入出力制御部３へ転送する。また、画像処理装置１００全体の各種構成情報や、動作状況を情報処理装置７に転送する。
【００２３】
操作部６は、画像入出力制御部３からの指示に従い、ユーザが各種画像処理に必要な設定を行うためのメニュー画面，処理状況画面等を表示したり、ユーザの設定内容を画像入出力制御部３に通知する。
【００２４】
図２は、図１に示したスキャナ部１及びプリンタ部２の構成例を示す断面図である。
【００２５】
スキャナ部１において、１０１は原稿給送装置で、原稿を最終頁から順に１枚ずつプラテンガラス１０２上へ給送し、各原稿の読み取り動作が終了する都度、プラテンガラス１０２上の原稿を排出する。
【００２６】
原稿がプラテンガラス１０２上に搬送されると、ランプ１０３を点灯してスキャナユニット１０４の移動を開始し、原稿を露光走査する。この時の原稿からの反射光は、ミラー１０５，１０６，１０７、及びレンズ１０８によってＣＣＤイメージセンサ（以下、ＣＣＤという）１０９へ導かれる。このようにして、読み取られた画像データは、所定の処理が施された後、プリンタ部２または画像入出力制御部３へ転送される。
【００２７】
プリンタ部２において、２２１はレーザドライバで、レーザ発光部２０１を駆動し、スキャナ部１から出力された画像データに基づいてレーザ光が照射される。このレーザ光は、感光ドラム２０２に照射され、感光ドラム２０２にはレーザ光に応じた潜像が形成される。感光ドラム２０２に形成された潜像の部分には、現像器２０３によって現像剤が付着される。
【００２８】
記録紙は、レーザ光の照射開始と同期したタイミングで、カセット２０４またはカセット２０５のいずれかにより転写部２０６へ搬送され、感光ドラム２０２に付着された現像剤が転写される。
【００２９】
そして、現像剤が転写された記録紙は、定着部２０７に搬送され、定着部２０７の熱と圧力により現像剤が記録紙に定着される。定着部２０７を通過した記録紙は、排出ローラ２０８によって排出され、排紙された記録紙はソータ２２０により適切なビンに収納され、これにより記録紙の仕分けがなされる。
【００３０】
なお、ソータ２２０は仕分けのモードに設定されていない場合は、最上ビンに記録紙を収納する。また、両面記録のモードに設定されている場合は、排出ローラ２０８の位置まで記録紙を搬送した後、排出ローラ２０８の回転方向を逆転させ、フラッパ２０９によって再給紙搬送路２１０へ導く。
【００３１】
さらに、多重記録のモードが設定されている場合は、記録紙を搬出ローラ２０８まで搬送しないようにフラッパ２０９によって再給紙搬送路２１０へ導く。再給紙搬送路２１０へ導かれた記録紙は上述したタイミングで転写部２０６へ再度給紙される。
【００３２】
図３は、図１に示したスキャナ部１の詳細な構成例を示すブロック図であり、図１と同一のものには同一の符号を付してある。
【００３３】
図において、１１４はＣＰＵで、ＣＰＵバス１１７に接続され、ＣＰＵバス１１７を介して画像処理部１１１，インタフェース（Ｉ／Ｆ）部１１３，ＲＯＭ１１５，ＲＡＭ１１６が接続されている。以下、信号処理の流れに基づいて各部の動作を説明する。
【００３４】
ＣＣＤ１０９から出力された画像データはＡ／Ｄ・ＳＨ部１１０でアナログ／デジタル変換されるとともに、シェーディング補正が行われる。Ａ／Ｄ・ＳＨ部１１０によって処理された画像データは、画像処理部１１１を介してプリンタ部２へ転送されるとともに、インタフェース部１１３を介して画像入出力制御部３へ転送される。
【００３５】
また、ＣＰＵ１１４は画像入出力制御部３より指示された設定内容に応じて画像処理部１１１及びインタフェース部１１３を制御する。
【００３６】
例えば、トリミング処理の後に複写を行うモードが指示されている場合は、画像処理部１１１でトリミング処理を実行し、該トリミング処理を施した画像データをプリンタ部２へ転送する。
【００３７】
また、例えば、ファクシミリ送信モードが指示されている場合は、読み取った画像データをインタフェース部１１３を介して画像入出力制御部３へ転送する。このような制御を司るＣＰＵ１１４の制御プログラムは、ＲＯＭ１１５に記憶されており、ＣＰＵ１１４はＲＯＭ１１５上の当該制御プログラムに基づいて動作する。なお、ＲＡＭ１１６は、ＣＰＵ１１４の作業領域として使用される。
【００３８】
図４は、図１に示した画像入出力制御部３の詳細な構成を示すブロック図である。
【００３９】
図において、３０１はＣＰＵで、ＣＰＵバス３０８に接続され、ＣＰＵバス３０８を介してインタフェース部３００，操作部インタフェース（Ｉ／Ｆ）部３０２，インタフェース部３０３，ＲＯＭ３０４，ＲＡＭ３０５，画像処理部３０６が接続されている。以下、信号処理の流れに基づいて各部の動作を説明する。
【００４０】
スキャナ部１より入力される画像データは、インタフェース部３０３を介して画像処理部３０６へ転送された後、画像メモリ３０７に格納される。また、スキャナ部１より入力される制御コマンドは、ＣＰＵ３０１へ転送される。
【００４１】
フォーマッタ部４，ファクシミリ部５より入力される画像データは、インタフェース部３００を介して画像処理部３０６へ転送された後、画像メモリ３０７に格納される。また、フォーマッタ部４，ファクシミリ部５より入力される制御コマンドは、インタフェース部３００を介してＣＰＵ３０１へ転送される。
【００４２】
画像メモリ３０７に格納されたこれらの画像データは、ＣＰＵ３０１による制御の下、スキャナ部１，フォーマッタ部４，ファクシミリ部５および操作部６より入力される制御コマンドに基づいて、画像処理部３０６において画像の回転処理や変倍処理などの画像処理がなされた後、インタフェース部３０３を介してプリンタ部２に転送されるか、もしくは、インタフェース部３００を介してファクシミリ部５に転送される。
【００４３】
また、ＣＰＵ３０１は、スキャナ部１，フォーマッタ部４，ファクシミリ部５より入力された制御コマンドの中で、操作部６への表示を要求するコマンドを受け取ると、指定された表示内容を操作部Ｉ／Ｆ部３０２を介して操作部６に表示する。
【００４４】
さらに、操作部６において、ユーザによるオペレーション操作がなされると、そのオペレーション情報が操作部Ｉ／Ｆ部３０２を介してＣＰＵ３０１に入力される。ＣＰＵ３０１は、操作部Ｉ／Ｆ部３０２より入力されたオペレーション情報をスキャナ部１，フォーマッタ部４，ファクシミリ部５に転送するか、または、オペレーション情報に基づき画像入出力制御を行う。
【００４５】
このような制御を司るＣＰＵ３０１の制御プログラムは、ＲＯＭ３０４に記憶されており、ＣＰＵ３０１はＲＯＭ３０４上の当該制御プログラムに基づいて動作する。なお、ＲＡＭ３０５は、ＣＰＵ３０１の作業領域として使用される。
【００４６】
図５は、図１に示したフォーマッタ部４の詳細な構成例を示すブロック図であり、図１と同一のものには同一の符号を付してある。
【００４７】
図において、４０４はＣＰＵで、ＣＰＵバス４０７に接続され、ＣＰＵバス４０７を介して、ホストインタフェース（Ｉ／Ｆ）部４００，画像データ発生部４０１，画像メモリ４０２，インタフェース部４０３，ＲＯＭ４０５，ＲＡＭ４０６が接続されている。以下、信号処理の流れに基づいて各部の動作を説明する。
【００４８】
情報処理装置（ホストコンピュータ）７より送られてきたＰＤＬデータは、ホストＩ／Ｆ部４００を介してＲＡＭ４０６に格納される。ＣＰＵ４０４は、ＲＡＭ４０６に格納されたＰＤＬデータを解釈し、ビットマップイメージを作成するためのデータ（中間データ）を画像データ発生部４０１に転送する。画像データ発生部４０１は、ＣＰＵ４０４より送られてきたデータをビットマップイメージに変換する。そして、作成されたビットマップイメージは、画像メモリ４０２に格納される。
【００４９】
ＣＰＵ４０４は、画像メモリ４０２に格納されたビットマップイメージを取り出し、インタフェース部４０３を介して、画像入出力制御部３に転送するとともに、転送する画像の出力先や、出力設定を指示する制御コマンドを転送する。
【００５０】
フォーマッタ部４のオペレーションに関する表示画面や設定情報は、予めＲＯＭ４０５，ＲＡＭ４０６に格納されており、ＣＰＵ４０４は必要に応じてこれらを取り出し、インタフェース部４０３を介して画像入出力制御部３に転送する。
【００５１】
また、画像入出力制御部３より転送された操作部６のオペレーション情報に基づき、ＣＰＵ４０４は各種制御を行う。
【００５２】
例えば、操作部６において、フォーマッタ部４の受信バッファのクリア操作が行われると、画像入出力制御部３よりその旨が通知される。ＣＰＵ４０４は、画像入出力制御部３からの指示に従い、ＲＡＭ４０６に格納されている受信データをクリアする。
【００５３】
このような制御を司るＣＰＵ４０４の制御プログラムは、ＲＯＭ４０６に記憶されており、ＣＰＵ４０４はＲＯＭ４０５上の当該制御プログラムに基づいて動作する。なお、ＲＡＭ４０６はＣＰＵ４０４の作業領域としても使用される。
【００５４】
以下、本実施形態の特徴的構成について図４等を参照して説明する。
【００５５】
上記のように構成された画像処理装置において、画像を読み取る画像読取り手段（スキャナ部１）と、所定のページ記述言語で記述された画像情報を入力するデータ入力手段（ホストインタフェース部４００）と、前記データ入力手段より入力された画像情報を可視画像に展開する画像展開手段（フォーマッタ部４）と、前記画像読取り手段により読み取られた画像情報および前記画像展開手段により展開された画像情報を記憶する複数の記憶領域（後述する図９のテンポラリ領域９０１，パーソナルボックス領域９０２）が確保可能な画像記憶手段（画像メモリ３０７）と、前記画像記憶手段に記憶されている画像情報を出力する画像出力手段（プリンタ部２，ファクシミリ部５）と、前記画像出力手段の出力状態を判定して、前記複数の記憶領域に対する前記画像読取り手段により読み取られた画像情報または前記画像展開手段により展開された画像情報の前記複数の記憶領域に対する記憶先を変更する制御手段（ＣＰＵ３０１がＲＯＭ３０４，図示しないメモリ資源に格納された制御プログラムを実行して制御する）とを有するので、プリンタ部２に障害が発生しても、フォーマッタ部４による展開処理を中断させることなく継続して画像情報を展開処理して、障害が解消するまで確実に記憶できるパーソナルボックス領域９０２で既に展開した画像情報を記憶管理することができる。また、出力可能となるまで展開した画像情報をいつでも出力可能に記憶しているので、前記画像出力手段に障害が発生しても、再度画像情報への再展開処理を不要として、意図する画像情報を高速に出力させることができる。
【００５６】
さらに、前記複数の記憶領域には、ユーザ識別情報で管理可能な仮想メモリ領域（パーソナルボックス領域９０２）を含むので、仮想メモリ領域を障害が解消するまで確実に記憶できる記憶領域として利用させながら、既に展開した画像情報を特定のユーザでなければ出力できないように画像情報を記憶管理することができる。
【００５７】
また、前記画像出力手段は、画像情報を記録媒体上に出力する画像形成手段（プリンタ部２）を含むので、あるいは画像情報を所定の通信回線上に出力する通信手段（ファクシミリ部５）を含むので、あるいは画像情報を記録媒体上に出力するプリンタ部２と画像情報を所定の通信回線上に出力するファクシミリ部５とを含むので、記録媒体に起因する障害が発生した場合に、フォーマッタ部４による展開処理を中断させることなく継続して画像情報を展開処理して、障害が解消するまで確実に記憶できる記憶領域で既に展開した画像情報を記憶管理することができる。
【００５８】
さらに、画像を読み取るスキャナ部１と、所定のページ記述言語で記述された画像情報を入力するデータ入力手段（ホストインタフェース部４００）と、前記データ入力手段より入力された画像情報を可視画像に展開する画像展開手段（フォーマッタ部４）と、前記画像読取り手段により読み取られた画像情報および前記画像展開手段により展開された画像情報を一時的に記憶する第１の画像記憶手段（画像メモリ３０７）と、前記画像読取り手段により読み取られた画像情報および前記画像展開手段により展開された画像情報を、ユーザ識別情報で管理可能に記憶する第２の画像記憶手段（図示しない２次記憶装置、例えばハードディスク）と、前記第１の画像記憶手段または前記第２の画像記憶手段に記憶されている画像情報を記録媒体上に出力する画像形成手段（プリンタ部２）と、前記画像形成手段の出力状態を判定して、スキャナ部１により読み取られた画像情報またはフォーマッタ部４により展開された画像情報の記憶先を画像メモリ３０７から２次記憶装置に変更する制御手段（ＣＰＵ３０１がＲＯＭ３０４，図示しないメモリ資源に格納された制御プログラムを実行して制御する）と有するので、プリンタ部２に障害が発生しても、フォーマッタ部４による展開処理を中断させることなく継続して画像情報を展開処理して、障害が解消するまで確実に記憶できる第２の記憶手段で既に展開した画像情報を記憶管理することができる。
【００５９】
また、ＣＰＵ３０１は、プリンタ部２の出力状態を判定して、２次記憶装置に記憶された画像情報を自動的に読み出してプリンタ部２に出力するので、画像形成手段の障害が解消したら、ユーザからの出力指示がなくても、速やかに画像形成させることができ、ユーザによる操作指示負担を軽減し、ユーザの利便性を格段に向上できる。
【００６０】
さらに、画像を読み取る画像読取り手段（スキャナ部１）と、所定のページ記述言語で記述された画像情報を入力するデータ入力手段（ホストインタフェース部４００）と、前記データ入力手段より入力された画像情報を可視画像に展開する画像展開手段（フォーマッタ部４）と、前記画像読取り手段により読み取られた画像情報および前記画像展開手段により展開された画像情報を記憶する複数の記憶領域（後述する図９のテンポラリ領域９０１，パーソナルボックス領域９０２）が確保可能な画像記憶手段（画像メモリ３０７）と、画像メモリ３０７に記憶されている画像情報を記録媒体上に出力するプリンタ部２と、画像メモリ３０７に記憶されている画像情報を所定の通信回線上に出力する通信手段（ファクシミリ部５）と、プリンタ部２の出力状態を判定して、スキャナ部１により読み取られた画像情報またはフォーマッタ部４により展開された画像情報の前記複数の記憶領域に対する記憶先を変更し、かつ、プリンタ部２以外の出力要求を判定して、いずれかの記憶領域に記憶されている画像情報をファクシミリ部５に出力する制御手段（ＣＰＵ３０１がＲＯＭ３０４，図示しないメモリ資源に格納された制御プログラムを実行して制御する）とを有するので、プリンタ部２に障害が発生しても、フォーマッタ部４による展開処理を中断させることなく継続して画像情報を展開処理して、障害が解消するまで確実に記憶できる記憶領域で既に展開した画像情報を記憶管理しながら、展開した画像情報を滞ることなく通信回線を介して外部機器に転送させることができ、入力される画像情報を展開して通信するような画像処理機能の効率を格段に向上させることができる。
【００６１】
図６は、図１に示したファクシミリ部５の詳細な構成例を示すブロック図であり、図１と同一のものには同一の符号を付してある。
【００６２】
図において、５０４はＣＰＵで、ＣＰＵバス５０７に接続され、ＣＰＵバス５０７を介して変調／復調器（モデム（ＭＯＤＥＭ）５００，バッファメモリ５０１，符号／復号化器（ＣＯＤＥＣ）５０２，インタフェース部５０３，ＲＯＭ５０５，ＲＡＭ５０６が接続されている。以下、信号処理の流れに基づいて各部の動作を説明する。
【００６３】
ファクシミリ受信時に、電話回線より受信した受信データは、モデム５００によって復調され、バッファメモリ５０１に格納される。ＣＰＵ５０４は、バッファメモリ５０１に格納されたデータを取り出し、符号／復号化器５０２に送り復号化し、ビットマップイメージを作成する。
【００６４】
ＣＰＵ５０４は、作成されたビットマップイメージを画像入出力制御部３に転送するとともに、転送する画像の出力先や、出力設定を指示する制御コマンドを転送する。
【００６５】
一方、ファクシミリ送信時に、画像入出力制御部３から転送された画像データは、ＣＰＵ５０４により符号／復号化器５０２に転送され、符号化された後、バッファメモリ５０１に格納される。また、この際、画像入出力制御部３より電話番号などのファクシミリ送信に関する各種設定情報がＣＰＵ５０４に転送される。
【００６６】
そして、ＣＰＵ５０４は、画像入出力制御部３から送られてきたこれらの情報に基づいて各種ファクシミリ送信設定を行った後、バッファメモリ５０１に格納されている送信データを取り出し、モデム５００で変調して電話回線に転送する。
【００６７】
なお、ファクシミリ部５のオペレーションに関する表示画面や設定情報は、予めＲＯＭ５０５，ＲＡＭ５０６に格納されており、ＣＰＵ５０４は必要に応じてこれを取り出し、インタフェース部５０３を介して画像入出力制御部３に転送する。
【００６８】
また、画像入出力制御部３より転送された操作部６のオペレーション情報に基づき、ＣＰＵ５０４は各種制御を行う。例えば、操作部６において、ファクシミリ部５の通信管理レポートの出力操作が行われると、画像入出力制御部３よりその旨が通知される。ＣＰＵ５０４は、画像入出力制御部３からの指示に従い、ＲＡＭ５０６に通信管理レポートのビットマップイメージを作成し、これをインタフェース部５０３を介して画像入出力制御部３に転送する。
【００６９】
このような制御を司るＣＰＵ５０４の制御プログラムは、ＲＯＭ５０５に記憶されており、ＣＰＵ５０４はＲＯＭ５０５上の当該制御プログラムに基づいて動作する。なお、ＲＡＭ５０６は、ＣＰＵ５０４の作業領域として使用される。
【００７０】
以上のように、画像入出力制御部３を中心に、原稿の読み取り，画像の印刷，画像の送受信，画像の保存等の機能を複合させた処理を行うことが可能である。
【００７１】
図７は、図１に示したフォーマッタ部４と画像入出力制御部３とページ画像転送シーケンスの一例を示す図であり、例えば情報処理装置７から送られてきたＰＤＬデータを可視画像に展開し画像入出力制御部３に出力する場合のフォーマッタ部４と画像入出力制御部３との制御コマンド、及び画像データの流れに対応する。
【００７２】
フォーマッタ部４は、情報処理装置７から送られてきたＰＤＬデータを解釈し、ジョブ開始を指示するデータを受け取った場合、画像入出力制御部３に対してジョブ開始要求命令「ＳＴＡＲＴ−ＲＥＱ」を送る。
【００７３】
画像入出力制御部３は、ジョブ開始命令で指示されたジョブを受け付けることが可能であると判断した場合、フォーマッタ部４にステータスで「ＯＫ」を返す。
【００７４】
フォーマッタ部４は、画像入出力制御部３から「ＯＫ」を受け取ると、情報処理装置７より受け取ったＰＤＬデータを順次ビットマップイメージに展開する。１ページ分のビットマップイメージが生成されると、画像入出力制御部３に対してページ画像出力要求命令「ＰＡＧＥ−ＲＥＱ」を送る。
【００７５】
画像入出力制御部３は、ページ画像の入力を受け付けることが可能であると判断した場合、フォーマッタ部４にステータスで「ＯＫ」を返す。
【００７６】
フォーマッタ部４は、画像入出力制御部３から「ＯＫ」を受け取ると、画像メモリ４０２に格納されている１ページ分のビットマップイメージを取り出し、画像入出力制御部３にビデオ転送する。
【００７７】
画像入出力制御部３は、フォーマッタ部４より入力された画像データを、画像メモリ３０７に格納する。１ページ分の画像を全て入力し終えると、画像入出力制御部３は、フォーマッタ部４にステータスで「ＯＫ」を返す。
【００７８】
以後、フォーマッタ部４において、１ページ分のページ画像が生成される度に、上記ページ画像転送シーケンスが繰り返される。
【００７９】
そして、フォーマッタ部４は、情報処理装置７から送られてきたＰＤＬデータを解釈し、ジョブ終了を指示するデータを受け取った場合、もしくはリセット等により途中でジョブを終了する場合、画像入出力制御部３に対してジョブ終了要求命令「ＥＮＤ」を送り、ジョブを終了する。
【００８０】
図８は、図１に示したフォーマッタ部４と画像入出力制御部３との間におけるページ画像転送シーケンス中でやり取りされる制御コマンド及びデータの構成を示す図である。
【００８１】
図８の（ａ）はジョブ開始要求を示す制御コマンドであり、「ＳＴＡＲＴ」はジョブ開始要求を示す。「Ｔｙｐｅ  ｏｆ  Ｊｏｂ」はジョブの種類を示す。なお、ジョブの種類には、フォーマッタ部４から入力された画像をプリンタ部２に出力するプリントジョブ、ファクシミリ部５に出力するファクシミリ送信ジョブ、画像入出力制御部３の画像メモリ３０７上の指定領域に格納するパーソナルボックスジョブがある。なお、パーソナルボックス機能については後述する。
【００８２】
「Ｕｓｅｒ  ＩＤ」は情報処理装置７上でジョブを実行したユーザのＩＤを示す。「Ｎａｍｅ  ｏｆ  Ｊｏｂ」は、例えば情報処理装置７のアプリケーション上で文書を作成した時点で付加される文書名など、ジョブを識別するための名称を示す。
【００８３】
「Ｐａｐｅｒ  Ｓｉｚｅ」は出力用紙サイズを示す。「Ｒｅｓｏｌｕｔｉｏｎ」は、フォーマッタ部４において作成されるビットマップイメージの解像度を示す。「Ｐａｒａｍｅｔｅｒｓ  ｏｆ  Ｐｒｉｎｔ／Ｆａｘ」は、それぞれプリント出力ジョブ時、ファクシミリ送信ジョブ時の固有のパラメータを示す。次に、それぞれのパラメータの詳細を説明する。
【００８４】
図８の（ｂ）はプリント出力ジョブ時のパラメータを示し、「Ｐａｇｅ  Ｏｒｉｅｎｔａｔｉｏｎ」は描画されている画像の向き（Ｐｏｒｔｌａｇｅ／Ｌａｎｄｓｃａｐｅ）を示す。
【００８５】
「Ｄｕｐｌｅｘ  ｍｏｄｅ」は片面出力／両面出力を示す。「Ｂｉｎｄ  ｄｉｒｅｃｔｉｏｎ」は綴じ方向（Ｌｏｎｇｅｄｇｅ  Ｆｅｅｄ／Ｓｈｏｒｔｅｄｇｅ  Ｆｅｅｄ）を示す。「Ｓｏｒｔｉｎｇ  ｍｏｄｅ」はソート方法（ソートしない／ソート／グループソート）を示す。
【００８６】
「Ｆｉｎｉｓｈｉｎｇ  ｍｏｄｅ」はフィニッシィングモード（ステイプル／パンチ）を示す。「Ｄａｒｋｎｅｓｓ」はトナー濃度（１〜９）を示す。「Ｐｅｒｓｏｎａｌ  ｂｏｘ  Ｎｏ．」は、パーソナルボックスジョブ時に画像格納先となる画像メモリ３０７上に設けられた仮想メモリボックスの番号（１〜９９）を示す。
【００８７】
図８の（ｃ）はファクシミリ送信ジョブ時のパラメータを示し、「Ｒｅｓｏｌｕｔｉｏｎ  ｏｆ  ｆａｘ」はファクシミリ送信時の解像度を示す。「Ｆａｘ
Ｎｏ．（Ｎ）」は送信先電話番号を示す。「Ｓｕｂａｄｄｒｅｓｓ」はＦａｘ
Ｎｏ．に付随するサブアドレスを示す。
【００８８】
図８の（ｄ）はページ画像出力を示す制御コマンドであり、「ＰＡＧＥ」はページ画像出力を示す。「Ｐａｇｅ  Ｎｏ．」はページ番号を示す。「Ｎｕｍｂｅｒ  ｏｆ  ｃｏｐｉｅｓ」は画像入出力制御部３の画像メモリ３０７から他の出力デバイスに画像を出力する際に、同じページ画像を繰り返し出力する回数を示す。「ＸＳｉｚｅ」はフォーマッタ部４より出力する画像のＸ方向の大きさを示す。「ＹＳｉｚｅ」は同じくＹ方向の大きさを示す。「Ｔｒａｎｓｆｅｒ  ｒａｔｅ」はビデオ出力の転送レートを示す。
【００８９】
図８の（ｅ）はジョブ終了を示す制御コマンドであり、「ＥＮＤ」はジョブ終了を示す。「Ｃｏｍｐｌｅｔｉｏｎ  Ｓｔａｔｕｓ」は、フォーマッタ部４においてジョブが正常に終了したのか、異常終了したのかを示す。
【００９０】
図８の（ｆ）は画像入出力制御部３において、要求に対する受け付け結果を示すステータス応答データである。
【００９１】
次に、フォーマッタ部４で展開された画像を、画像入出力制御部３の画像メモリ３０７上に予め設けられた仮想メモリボックスに保存し、ユーザが後で操作部６より保存された画像を指定してプリントアウトを行う機能（通称、パーソナルボックス機能と呼ぶ）について説明する。
【００９２】
パーソナルボックス機能とは、例えば他人に見られたくない機密文書をプリントアウトするような場合に、直接用紙にプリントアウトせずに一旦、例えば画像メモリ３０７等のメモリに格納しておき、後でユーザが本体の操作部６よりプリントアウト指示を行った時点で用紙にプリントアウトするという機能である。
【００９３】
また、同じ文書を出力形態を変更して何度もプリントアウトするような場合に本機能が使用される。
【００９４】
図９は、図４に示した画像入出力制御部３の画像メモリ３０７の論理的な使用領域を示した図である。なお、本実施形態においては、使用用途に応じて画像メモリの記憶領域をテンポラリ領域９０１と、パーソナルボックス領域９０２に論理的に分ける。
【００９５】
図において、テンポラリ領域９０１は、スキャナ部１やフォーマッタ部４，ファクシミリ部５から入力される画像データを一時的に記憶する記憶領域である。テンポラリ領域９０１は、例えばフォーマッタ部４で展開された画像をプリンタ部２に出力するような動作において、フォーマッタ部４から入力された画像を一時的に記憶しておき、記憶している画像を複数回プリンタ部２に出力するという用途のために使用される。
【００９６】
パーソナルボックス領域９０２はパーソナルボックス機能を使用するための記憶領域であり、図示されるように登録された数の小さな記憶領域（以降、ボックスと呼ぶ）９０３〜９０５に分割されている。ボックス９０３〜９０５は、各ユーザや会社などの部署毎に割り当てられ、各ボックス９０３〜９０５にはボックス名とパスワードを付けることができる。ユーザはボックス名を指定することで各ボックス９０３〜９０５にアクセスすることができ、パスワードを入力しないと実際にボックスの中を見たり、登録された画像データを用紙に出力することはできない。
【００９７】
次に、パーソナルボックス機能の使用例について説明する。
【００９８】
〔パーソナルボックスの登録処理〕
以下、図１０を参照してパーソナルボックスの登録処理を説明する。
【００９９】
図１０は、図１に示した操作部６におけるパーソナルボックスの登録操作画面の一例を示す図であり、図９に示した画像メモリ３０７上のパーソナルボックス領域９０２に個別のボックスを作成する場合の操作手順を示す操作画面フローに対応する。
【０１００】
図において、１００１〜１００４は操作部６に設けられるタッチパネル機能付きのＬＣＤディスプレイで構成される画面に対応する。以下、パーソナルボックスの登録操作手順の流れに基づいて説明する。
【０１０１】
まず、画像メモリ３０７の設定を行う画面１００１において、パーソナルボックスの登録がボタン指示により選択されると、画面１００２が表示される。画面１００２には、ボックスナンバーとボックス名、画像メモリ３０７のパーソナルボックス領域全体を「１００」％とした場合の各々のボックスの使用率が表示される。なお、登録されていないボックスは、ボックス名に「未登録」と表示される。
【０１０２】
画面１００２において、新規登録する場合は、未登録のボックスの中から登録するボックスを選択し、そのボックスナンバーを選択して「登録」を指定すると、画面１００３が表示される（未登録のボックス番号「０３」が選択された場合）。画面１００３は、ボックス名称を入力するための画面で、ユーザはこの画面１００３で任意のボックス名称を登録する。
【０１０３】
このようにしてボックス名称を入力し、画面１００３上で、ＯＫボタンを選択すると、画面表示が画面１００４に移行する。画面１００４は、ボックスに暗証番号を設定するための画面である。この画面１００４において暗証番号が設定されたボックスは、後でボックスに格納されている文書名を表示したり、その文書を指定してプリントアウトを行う際に、設定された暗証番号の入力が必要となる。
【０１０４】
このようにして暗証番号を設定した後、もしくは設定せずに、画面１００４上で、ＯＫボタンを選択することにより、ボックスの登録は終了する。この時点で、図９に示したパーソナルボックス領域９０２に新たなボックス（パーソナルボックス）が作成される。
【０１０５】
〔パーソナルボックスからの出力処理〕
以下、図１１，図１２を参照して、パーソナルボックスからの出力処理を説明する。
【０１０６】
図１１，図１２は、図９に示したパーソナルボックス領域９０２のパーソナルボックスからの出力指示操作例の一例を示す図であり、パーソナルボックス領域９０２のパーソナルボックスに記憶されている文書を指定してプリントアウトする場合の操作手順を示す操作に対応する。
【０１０７】
これらの図において、１１０１〜１１０７は操作部６に設けられるタッチパネル機能付きのＬＣＤディスプレイで構成される画面に対応する。以下、パーソナルボックスの出力操作手順の流れに基づいて説明する。
【０１０８】
まず、登録されているパーソナルボックスの一覧を表示する画面１１０１において、操作を行いたいボックスを選択する。
【０１０９】
この際、選択されたボックスに暗証番号が設定されている場合には、暗証番号を入力するための画面１１０２が表示され、暗証番号が設定されていない場合には、選択されたボックスに記憶されている文書の一覧を表示する画面１１０３が表示される。
【０１１０】
そこで、暗証番号が設定されている場合、画面１１０２において暗証番号が入力されＯＫボタンが選択された時点で暗証番号の正誤判定を行い、暗証番号が間違っていた場合や、途中で取消ボタンが選択された場合には、表示画面の内容が画面１１０１に戻る。
【０１１１】
一方、暗証番号が正しかった場合には、画面１１０３に移行する。
【０１１２】
ここで、画面１１０３には、選択されたボックスに記憶されている文書の一覧が表示される。表示される内容は、ボックスに登録された日付，時刻，文書名、及び出力ステータスである。
【０１１３】
なお、文書名は、情報処理装置７より画像データを出力する際に、文書を作成したアプリケーションや、プリンタドライバによって付加され、本装置に入力される。出力ステータスとは、その文書を既にプリントアウトしたか、プリントアウトしていないのかを表すステータスであり、既にプリントアウトしている場合には「プリント済み」と表示され、プリントアウトしていない場合には「プリントＯＫ」と表示される。
【０１１４】
ユーザは、画面１１０３上で記憶されている文書一覧からプリントアウトしたい文書を画面１１０４上で選択する。この際、複数の文書を選択したい場合には、複数選択ボタンを指定した後、複数の文書を選択する。
【０１１５】
このようにしてプリントアウトしたい文書を選択した後、画面１１０４上で、プリントボタンを指定すると、図１２に示す画面１１０５に移行する。
【０１１６】
画面１１０５では、画面１１０４上で選択した文書をプリントアウトした後、ボックスから消去してしまうか、保存しておくかを選択する画面であり、ユーザはどちらかを選択する。ボックスから消去するか、保存しておくかを選択した時点で、選択した文書のプリントアウトが開始される。プリントアウト中は、画面１１０６が表示され、プリントアウトしている文書名，ページ数、およびプリントアウトの中止を指示するためのキーが表示される。
【０１１７】
このようにしてプリントアウトが終了すると、画面１１０７が表示される。画面１１０７は、プリントアウト終了後、ボックスから文書を消去すると選択した場合の画面であり、プリントアウトされた文書が一覧から削除されている。なお、画面１１０５上で、プリントアウト終了後もボックスに文書を残すを選択（いいえボタンを選択）した場合は、再び画面１１０３が表示される。
【０１１８】
図１３は、図４に示した画像入出力制御部３のＲＡＭ３０５上に保持されているボックス管理テーブルを示す図である。
【０１１９】
図において、１２０１はボックス管理テーブルで、ボックス番号毎に用意されており、ボックス番号（ＰＢ  Ｎｏ．），ボックス名称（ＰＢ  Ｎａｍｅ），暗証番号（Ｐａｓｓ  Ｃｏｄｅ），ユーザＩＤ（Ｕｓｅｒ  ＩＤ），ボックス要領（ＰＢ  Ｓｉｚｅ）、及びボックスに格納されている文書の管理テーブル（文書管理テーブル１２０２）のアドレスを示すポインタ（＊  ａｄｄｒｅｓｓ）から構成されている。
【０１２０】
１２０２は文書管理テーブルで、管理用の文書番号（Ｆｉｌｅ  Ｎｏ．），文書名（Ｆｉｌｅ  Ｎａｍｅ），登録日付（Ｄａｔｅ），登録時間（Ｔｉｍｅ），出力ステータス（Ｓｔａｔｕｓ），出力用紙サイズ（Ｐａｐｅｒ  Ｓｉｚｅ），解像度（Ｒｅｓｏｌｕｔｉｏｎ），プリント時の各種パラメータ（Ｐａｒａｍｅｔｅｒｓ  ｏｆ  Ｐｒｉｎｔ）、及び画像の格納されているパーソナルボックス領域のアドレスを示すポインタ（＊  ａｄｄｒｅｓｓ１）、次の文書管理テーブルのアドレスを示すポインタ（＊  ａｄｄｒｅｓｓ２）から構成されている。
【０１２１】
１２０３はボックス番号７２のボックス管理テーブルおよび文書管理テーブルを示す一例である。
【０１２２】
図１０，図１１，図１２に示す操作内容は、前述の通り、操作部６より制御コマンドとして画像入出力制御部３に入力される。画像入出力制御部３は、これら操作部６より入力される制御コマンドと、図１３に示すボックス管理テーブル１２０１，文書管理テーブル１２０２に基づき、パーソナルボックスの管理、及びパーソナルボックスからプリンタ部２への出力制御を行う。
【０１２３】
次に、画像入出力制御部３において、フォーマッタ部４からのジョブ開始要求（ＳＴＡＲＴ−ＲＥＱ）を受け、ジョブを受け付けることができるか否かを判定する際の処理について図１４，図１５，図１７に示すフローチャート、および図１６，図１８，図１９に示すシーケンス図を用いて説明する。
【０１２４】
図１４は、本発明に係る画像処理装置における第１のデータ処理手順の一例を示すフローチャートである。なお、（１）〜（５）は各ステップを示す。
【０１２５】
先ず、フォーマッタ部４よりジョブ開始要求命令（ＳＴＡＲＴ−ＲＥＱ）が通知されるのを待機し（１）、ジョブ開始要求命令が通知されると、通知されたコマンドより、ジョブの種類（Ｔｙｐｅ  ｏｆ  Ｊｏｂ）を判定する（２）。以下、ジョブの種類に応じてパーソナルボックスジョブであると判定した場合、パーソナルボックスジョブルーチンを実行し（３）、プリントジョブであると判定した場合は、プリントジョブルーチンを実行し（４）、ファクシミリジョブであると判定場合は、ファクシミリジョブルーチンを実行し（５）、それぞれのルーチン実行終了のち、リターンする。
【０１２６】
図１５は、本発明に係る画像処理装置における第２のデータ処理手順の一例を示すフローチャートである。なお、（１）〜（５）は各ステップを示す。また、図１６は、図１に示したフォーマッタ部４と画像入出力制御部３とのページ画像転送シーケンスの一例を示す図である。
【０１２７】
まず、パーソナルボックスジョブであった場合、続いてボックス番号を取り出し（１）、図１３に示したボックス管理テーブル１２０１を検索し（２）、指定されたボックス番号が登録済みのボックスであり、ボックスに格納可能であるか否かを判定する（３）、該当ボックスが存在し、ボックスに格納可能であると判断した場合、フォーマッタ部４に対して「ＯＫ」を返して（４）、処理を終了する。
【０１２８】
一方、ステップ（３）で、指定されたボックスが登録されていなかったり、指定されたボックスの保存領域が一杯で格納できないと判定した場合、フォーマッタ部４に対して「ＮＧ」を返して（５）、処理を終了する。なお、「ＮＧ」を返した場合、図１６に示すシーケンスに示すように、フォーマッタ部４は画像転送を行わずジョブを終了させる。
【０１２９】
図１７は、本発明に係る画像処理装置における第３のデータ処理手順の一例を示すフローチャートである。なお、（１）〜（８）は各ステップを示す。また、図１８，図１９は、図１に示したフォーマッタ部４と画像入出力制御部３とのページ画像転送シーケンスの一例を示す図である。
【０１３０】
図１４に示したステップ（２）で、プリントジョブであったと判定された場合は、画像メモリ３０７のテンポラリ領域９０１に、フォーマッタ部４からの画像を格納する領域が空いているか否かをチェックし（１）、空いていると判定した場合には、ステップ（７）に進み、フォーマッタ部４に対して「ＯＫ」を返す。この際、プリンタ部２において障害が発生しているいないに関わらず、テンポラリ領域９０１が空いている限り、フォーマッタ部４からのジョブを受け付け、フォーマッタ部４における画像展開処理を中断させないようにする。
【０１３１】
一方、ステップ（１）で、テンポラリ領域９０１が空いていないと判断した場合、続いてプリンタ部２に異常が発生していないか否かをチェックする（２）。
【０１３２】
これは、プリンタ部２の異常により、テンポラリ領域９０１からプリンタ部２への画像出力が滞り、結果テンポラリ領域９０１に空きがないという状況であることを確認するためである。
【０１３３】
ステップ（２）で、プリンタ部２で異常が発生していたと判定した場合、フォーマッタ部４からの画像をテンポラリ領域９０１ではなく、パーソナルボックス領域９０２に切り換えて格納するという判定を下し、続いて、ジョブ開始要求で通知されたデータから「Ｕｓｅｒ  ＩＤ」を取り出す（３）。次に、取り出した「Ｕｓｅｒ  ＩＤ」を用いて、該当するパーソナルボックス管理テーブル１２０１を検索する（４）。ここで、本実施形態において、予め「Ｕｓｅｒ  ＩＤ」毎に使用するボックスが設定されており、すなわち「Ｕｓｅｒ  ＩＤ」とボックス番号とが対応付けられているものとする。
【０１３４】
次いで、該当するパーソナルボックスが見つかったかどうかを判定し（５）、該当するパーソナルボックスが見つかり、そのパーソナルボックス領域に格納できると判定した場合、フォーマッタ部４からの画像の格納先を、テンポラリ領域９０１から該当するパーソナルボックス領域９０２に切り換えることを確定し（６）、フォーマッタ部４に「ＯＫ」を通知して（７）、処理を終了する。なお、この場合、図１８に示す通り、フォーマッタ部４からのジョブ開始要求（ＳＴＡＲＴ−ＲＥＱ）に対して、ＳＴＡＴＵＳで「ＯＫ」を返すとともに、変更後の画像出力先「ＯＵＴＰＵＴ」を返し、以後通常の画像転送シーケンスが行われる。
【０１３５】
一方、ステップ（２）において、プリンタ部２に異常が発生していなかったと判定した場合や、ステップ（５）において、該当するパーソナルボックスがない、もしくは該当するパーソナルボックス領域が一杯で格納できないと判定した場合、フォーマッタ部４からの画像をパーソナルボックスに格納することはせず、フォーマッタ部４に対してジョブ開始要求命令をしばらく経ってからリトライするよう通知し（８）、再び、図１４のステップ（１）に戻って、フォーマッタ部４からのジョブ開始要求命令を待つ。
【０１３６】
なお、この場合、図１９に示す通り、フォーマッタ部４からのジョブ開始要求（ＳＴＡＲＴ−ＲＥＱ）に対して、画像入出力制御部３は、ステータスでＲｅｔｒｙを返す。そして、フォーマッタ部４は暫く経過した後、再度ジョブ開始要求を行い、画像入出力制御部３においてこれが受理されると、以後通常の画像転送シーケンスが行われる。
【０１３７】
なお、ステップ（６）において、テンポラリ領域９０１からパーソナルボックス領域９０２に格納先を変更されたジョブは、通常にパーソナルボックスジョブとして格納される場合と同様にして、パーソナルボックスに格納される。
【０１３８】
また、プリンタ部２に出力されず、パーソナルボックスに格納されたということは、フォーマッタ部４において、画像入出力制御部３よりステータスが通知された時点で判明するため、フォーマッタ部４はこの通知を情報処理装置７に返すことにより、ユーザに通知することが可能である。
【０１３９】
したがって、ユーザは後で、本体のところまで赴き、もし本体に障害が発生したままであれば、その場で障害を取り除いた後、操作部６より、パーソナルボックスからの図１１に示した出力画面１１０１を開き、登録されている文書を選択して出力を指示することにより、その場で出力結果を得ることができる。
【０１４０】
また、本実施形態において、パーソナルボックスに待避してから一定時間経過後、自動的にプリンタ部２へ出力するという構成をとることも可能である。この場合、予め自動的にプリントアウトする時間を設定しておき、また、パーソナルボックスに待避する際、文書管理テーブルのステータスに自動プリントアウトを意味するステータスをセットしておく。
【０１４１】
そして、画像入出力制御部３において、自動プリントアウトである文書を定期的にチェックし、格納された時間（Ｔｉｍｅ）から一定時間経過した文書が見つかった場合、プリンタ部２に異常がなくプリントアウトできる状況であれば、これを取り出し、プリンタ部２に出力する。
【０１４２】
これにより、パーソナルボックスに待避された文書は自動的にプリントアウトされることになる。
【０１４３】
以上、説明してきた通り、画像入出力制御部３において、フォーマッタ部４からジョブ開始要求が通知された際、ジョブの種類，テンポラリ領域９０１の空き状況，プリンタ部２の異常発生状況を確認し、プリンタ部２に異常が発生していてもテンポラリ領域９０１に空き領域がある限り、ジョブを受け付ける。また、プリンタ部２に異常が発生していて、さらにテンポラリ領域９０１に空き領域がない場合、フォーマッタ部４からの画像の格納先を、パーソナルボックス領域９０２に変更することにより、フォーマッタ部４からのジョブ開始要求を受け付けるといった構成をとることにより、プリンタ部２の異常により直ちにフォーマッタ部４における画像展開処理を中断させるということはなく、可能な限りフォーマッタ部４からのジョブを受け付けることが可能となる。
【０１４４】
以下、本実施形態の特徴的構成についてさらに図１７等を参照して説明する。
【０１４５】
上記のように構成された画像を読み取る画像読取り手段（スキャナ部１）と、所定のページ記述言語で記述された画像情報を入力するデータ入力手段（ホストインタフェース部４００）と、前記データ入力手段より入力された画像情報を可視画像に展開する画像展開手段（フォーマッタ部４）と、前記画像読取り手段により読み取られた画像情報および前記画像展開手段により展開された画像情報を記憶する複数の記憶領域が確保可能な画像記憶手段（画像メモリ３０７）と、前記画像記憶手段に記憶されている画像情報を出力する画像出力手段（プリンタ部２）とを有する画像処理装置のデータ処理方法であって、あるいは画像を読み取る画像読取り手段と、所定のページ記述言語で記述された画像情報を入力するデータ入力手段と、前記データ入力手段より入力された画像情報を可視画像に展開する画像展開手段と、前記画像読取り手段により読み取られた画像情報および前記画像展開手段により展開された画像情報を記憶する複数の記憶領域が確保可能な画像記憶手段と、前記画像記憶手段に記憶されている画像情報を出力する画像出力手段とを有する画像処理装置を制御するコンピュータが読み出し可能なプログラムを格納した記憶媒体であって、前記画像記憶手段中のいずれかの記憶領域に対する画像データの記憶状態と前記画像出力手段の出力状態とを判定する判定工程（図１７のステップ（１），（２））と、前記判定工程により、前記記憶領域に対する画像データの記憶状態が記憶不可状態あるいは、前記記憶領域に対する画像データの記憶状態が記憶不可状態で、かつ、プリンタ部２からの画像出力が不可状態であると判定した場合に、前記複数の記憶領域に対する前記画像読取り手段により読み取られた画像情報またはフォーマッタ部４により展開された画像情報の前記複数の記憶領域に対する記憶先を変更する変更工程（図１７のステップ６））とを有するので、前記画像出力手段に障害が発生しても、前記画像展開手段による展開処理を中断させることなく継続して画像情報を展開処理して、障害が解消するまで確実に記憶できる記憶領域で既に展開した画像情報を記憶管理することができる。
【０１４６】
〔第２実施形態〕
なお、上記第１実施形態では、画像入出力制御部３におけるフォーマッタ部４からの入力画像ジョブの制御を中心に説明してきたが、画像入出力制御部３における出力画像ジョブの制御についても本発明を適用することができる。以下、その実施形態について説明する。
【０１４７】
図２０は、本発明の第２実施形態を示す画像処理装置における出力画像ジョブの管理テーブルの一例を示す図であり、画像入出力制御部３において、フォーマッタ部４やファクシミリ部５により入力し画像メモリ３０７のテンポラリ領域９０１に格納している画像を、プリンタ部２やファクシミリ部５に出力するという制御を行うために使用される出力画像管理テーブルに対応する。
【０１４８】
出力画像管理テーブル２０００は、管理用のジョブ番号（ＪＯＢ  ＩＤ），画像出力先（Ｔｙｐｅ  ｏｆ  Ｊｏｂ），ユーザＩＤ（Ｕｓｅｒ  ＩＤ），ジョブ名（Ｎａｍｅ  ｏｆ  Ｊｏｂ），出力用紙サイズ（Ｐａｐｅｒ  Ｓｉｚｅ），解像度（Ｒｅｓｏｌｕｔｉｏｎ），プリントアウトもしくはファクシミリ送信時の出力パラメータ（Ｐａｒａｍｅｔｅｒｓ  ｏｆ  Ｐｒｉｎｔ／Ｆａｘ）、テンポラリ領域９０１の画像格納先アドレスを示すポインタ（＊  ａｄｄｒｅｓｓ１）、次の出力画像テーブルのアドレスを示すポインタ（＊  ａｄｄｒｅｓｓ２）から構成されている。
【０１４９】
出力画像管理テーブル２０００は、フォーマッタ部４やファクシミリ部５よりジョブ開始要求命令を受け取り、ジョブ開始可能であると判定しジョブを受け付けた時点で作成され、受け付けた順に順次接続され出力画像キューを構成するものである。
【０１５０】
図２１は、本発明に係る画像処理装置における第３のデータ処理手順の一例を示すフローチャートであり、画像入出力制御部３において、出力画像キューをチェックし、プリンタ部２もしくはファクシミリ部５に画像を出力するまでの処理に対応する。なお、（１）〜（９）は各ステップを示す。
【０１５１】
出力画像キューが存在する場合、画像出力先（出力画像キュー）をチェックし（１）、出力先がプリンタ部２への出力であったと判定した場合は、エラーが発生していないかプリンタ部２をチェックし（２）、プリンタ部２に特に異常はなく、出力可能であると判定すると、出力画像管理テーブル２０００の画像格納先アドレス（テンポラリ領域９０１の画像格納先アドレスを示すポインタ（＊  ａｄｄｒｅｓｓ１））を参照し、テンポラリ領域９０１より画像を取り出してプリンタ部２に転送する（３）。
【０１５２】
次いで、格納されている全ての画像の出力が終了したかどうかを判定し（４）、全て画像の出力を終了していないと判定した場合は、ステップ（３）へ戻り、全て画像の出力を終了していると判定した場合には、格納していた画像を全て消去し、出力画像キューから出力画像管理テーブル２０００を削除して（５）、ステップ（１）へ戻り、再び出力画像キューの取り出し処理へと移行する。
【０１５３】
一方、ステップ（１）において、画像出力先がファクシミリ部５であったと判定した場合は、出力画像管理テーブル２０００の画像格納先アドレス（テンポラリ領域９０１の画像格納先アドレスを示すポインタ（＊  ａｄｄｒｅｓｓ１））を参照し、テンポラリ領域９０１より画像を取り出してファクシミリ部５に転送する（７）。
【０１５４】
次いで、プリンタ部２への出力時と同様に格納されている全ての画像の出力を終了したかどうかを判定し（８）、全て画像の出力を終了していないと判定した場合は、ステップ（７）へ戻り、全て画像の出力を終了していると判定した場合には、格納していた画像を全て消去し、出力画像キューから出力画像管理テーブル２０００を削除して（９）、ステップ（１）へ戻り、再び出力画像キューの取り出し処理へと移行する。
【０１５５】
なお、ステップ（２）において、画像出力先がプリンタ部２であるが、プリンタ部２に障害が発生している場合（ＮＧの場合）、出力画像キューの中から、画像出力先がファクシミリ部５である出力画像管理テーブルを検索し、該当する出力画像管理テーブルがみつからない場合は、ステップ（１）に戻り、該当する出力画像管理テーブル（図示しない）が見つかった場合、ステップ（７）へ移行し、ファクシミリ部５への画像出力処理を行う。
【０１５６】
図２２は、本発明に係る画像処理装置における出力画像キューの一例を示す図であり、先頭の出力キューは、プリンタ部２への出力キューで、２番目にはファクシミリ部５への出力キューが格納されている場合に対応する。
【０１５７】
図２２の（ａ）に示すような出力キューの状態の場合、プリンタ部２において障害が発生していると、上記図２０に示した処理に従い、２番目のファクシミリ部５への出力キューが先に処理されることになり、図２１のステップ（９）の実行に伴い、出力キューの状態は、図２２の（ｂ）に示すような出力キューの状態となる。
【０１５８】
以下、図２３に示すメモリマップを参照して本発明に係る画像処理装置で読み出し可能なデータ処理プログラムの構成について説明する。
【０１５９】
図２３は、本発明に係る画像処理装置で読み出し可能な各種データ処理プログラムを格納する記憶媒体のメモリマップを説明する図である。
【０１６０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６２】
本実施形態における図１４，図１５，図１７，図２１に示す機能が外部からインストールされるプログラムによって、情報処理装置７により遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６４】
この場合、記憶媒体から読み出されたプログラムコード自体が本発明の新規な機能を実現することになり、そのプログラムコードを記憶した記憶媒体は本発明を構成することになる。
【０１６５】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
上記各実施形態によれば、プリンタに障害が発生している場合に、展開動作を中断することなく継続し、展開画像を予めメモリ上に用意された仮想ボックスに出力するので、展開画像をプリントアウトする以外の例えばファクシミリ送信するような場合、これを先に処理することにより、ユーザの利便性を向上し、さらにトータル的な生産性をも向上する。
【０１６９】
【発明の効果】
以上説明したように、本発明によれば、画像出力手段に障害が発生しても、展開手段による展開処理を中断させることなく継続して画像情報を展開処理して、障害が解消するまで確実に記憶できるユーザ識別情報で管理可能な仮想メモリ領域で既に展開した画像情報を記憶管理することができる。
【０１７０】
また、出力可能となるまで展開した画像情報をいつでも出力可能に記憶しているので、前記画像出力手段に障害が発生しても、再度画像情報への再展開処理を不要として、意図する画像情報を高速に出力させることができる。
【０１７１】
さらに、仮想メモリ領域を障害が解消するまで確実に記憶できる記憶領域として利用させながら、既に展開した画像情報を特定のユーザでなければ出力できないように画像情報を記憶管理することができる。
【０１７２】
また、記憶媒体に起因する障害生じた場合に、画像展開手段による展開処理を中断させることなく継続して画像情報を展開処理して、障害が解消するまで確実に記憶できる記憶領域で既に展開した画像情報を記憶管理することができる。
【０１７３】
さらに、画像出力手段に障害が発生しても、画像展開手段による展開処理を中断させることなく継続して画像情報を展開処理して、障害が解消するまで確実に記憶できる第２の記憶手段で既に展開した画像情報を記憶管理できる。
【０１７４】
また、画像形成手段の障害が解消したら、ユーザからの出力指示がなくても、速やかに画像形成させることができ、ユーザによる操作指示負担を軽減し、ユーザの利便性を格段に向上できる。
【０１７５】
さらに、画像出力手段に障害が発生しても、画像展開手段による展開処理を中断させることなく継続して画像情報を展開処理して、障害が解消するまで確実に記憶できる記憶領域で既に展開した画像情報を記憶管理しながら、展開した画像情報を滞ることなく通信回線を介して外部機器に転送させることができ、入力される画像情報を展開して通信するような画像処理機能の効率を格段に向上させることができる。
【０１７６】
また、画像出力手段に障害が発生しても、画像展開手段による展開処理を中断させることなく継続して画像情報を展開処理して、障害が解消するまで確実に記憶できる仮想メモリ領域で既に展開した画像情報を記憶管理することができる。
【０１７７】
従って、画像情報を記録媒体に出力する処理中に画像出力が不可となるような事態が発生しても、画像情報展開処理を中断することなく継続させ、かつ、展開した画像情報を個別に管理して、随時あるいは自動的に出力させる画像処理環境を自在に整備でき、画像処理装置の各機能処理効率およびユーザの利便性を格段に向上させることができる等の効果を奏する。
【図面の簡単な説明】
【図１】本発明の第１実施形態を示す画像処理装置の構成を示すブロック図である。
【図２】図１に示したスキャナ部及びプリンタ部の構成例を示す断面図である。
【図３】図１に示したスキャナ部の詳細な構成例を示すブロック図である。
【図４】図１に示した画像入出力制御部の詳細な構成を示すブロック図である。
【図５】図１に示したフォーマッタ部の詳細な構成例を示すブロック図である。
【図６】図１に示したファクシミリ部の詳細な構成例を示すブロック図である。
【図７】図１に示したフォーマッタ部と画像入出力制御部とページ画像転送シーケンスの一例を示す図である。
【図８】図１に示したフォーマッタ部と画像入出力制御部との間におけるページ画像転送シーケンス中でやり取りされる制御コマンド及びデータの構成を示す図である。
【図９】図４に示した画像入出力制御部の画像メモリの論理的な使用領域を示した図である。
【図１０】図１に示した操作部におけるパーソナルボックスの登録操作画面の一例を示す図である。
【図１１】図９に示したパーソナルボックス領域のパーソナルボックスからの出力指示操作例の一例を示す図である。
【図１２】図９に示したパーソナルボックス領域のパーソナルボックスからの出力指示操作例の一例を示す図である。
【図１３】図４に示した画像入出力制御部のＲＡＭ上に保持されているボックス管理テーブルを示す図である。
【図１４】本発明に係る画像処理装置における第１のデータ処理手順の一例を示すフローチャートである。
【図１５】本発明に係る画像処理装置における第２のデータ処理手順の一例を示すフローチャートである。
【図１６】図１に示したフォーマッタ部と画像入出力制御部とのページ画像転送シーケンスの一例を示す図である。
【図１７】本発明に係る画像処理装置における第３のデータ処理手順の一例を示すフローチャートである。
【図１８】図１に示したフォーマッタ部と画像入出力制御部とのページ画像転送シーケンスの一例を示す図である。
【図１９】図１に示したフォーマッタ部と画像入出力制御部とのページ画像転送シーケンスの一例を示す図である。
【図２０】本発明の第２実施形態を示す画像処理装置における出力画像ジョブの管理テーブルの一例を示す図である。
【図２１】本発明に係る画像処理装置における第３のデータ処理手順の一例を示すフローチャートである。
【図２２】本発明に係る画像処理装置における出力画像キューの一例を示す図である。
【図２３】本発明に係る画像処理装置で読み出し可能な各種データ処理プログラムを格納する記憶媒体のメモリマップを説明する図である。
【符号の説明】
１  スキャナ部
２  プリンタ部
３  画像入出力制御部
４  フォーマッタ部
５  ファクシミリ部
６  操作部
３００  インタフェース部
３０１  ＣＰＵ
３０３  インタフェース部
３０４  ＲＯＭ
３０５  ＲＡＭ
３０６  画像処理部
３０７  画像メモリ
【図１】
0003604885.tif 000002
【図２】
0003604885.tif 000003
【図３】
0003604885.tif 000004
【図４】
0003604885.tif 000005
【図５】
0003604885.tif 000006
【図６】
0003604885.tif 000007
【図７】
0003604885.tif 000008
【図８】
0003604885.tif 000009
【図９】
0003604885.tif 000010
【図１０】
0003604885.tif 000011
【図１１】
0003604885.tif 000012
【図１２】
0003604885.tif 000013
【図１３】
0003604885.tif 000014
【図１４】
0003604885.tif 000015
【図１５】
0003604885.tif 000016
【図１６】
0003604885.tif 000017
【図１７】
0003604885.tif 000018
【図１８】
0003604885.tif 000019
【図１９】
0003604885.tif 000020
【図２０】
0003604885.tif 000021
【図２１】
0003604885.tif 000022
【図２２】
0003604885.tif 000023
【図２３】
0003604885.tif 000024